(57)【要約】【課題】ネイルケア等の適切な練習ができるハンドマネキンを提供すること。【解決手段】本考案であるハンドマネキンは、５本の指部２０を備え、各指部２０は、それぞれ回動する複数の関節部２０ａ，２０ｂ，２０ｃを有しており、各指部２０の先端側に、それぞれ指先形状に形成された指先形状部３０を着脱可能なよう設けており、各指先形状部３０の先端側に、それぞれ爪部材４０を着脱可能なよう設けている。そして、各指先形状部３０は、爪部材４０が装着される箇所の周囲部分を、爪部材４０の表面側の方向に押し上げる、又は、爪部材４０の表面側とは反対方向に押し下げる、ことが可能なよう、弾性部材にて形成されている。【選択図】図３
0003202285.tif 000002
【実用新案登録請求の範囲】
【請求項１】
５本の指部を備えたハンドマネキンであって、
前記各指部は、それぞれ回動する複数の関節部を有しており、
前記各指部の先端側に、それぞれ指先形状に形成された指先形状部を着脱可能なよう設けており、
前記各指先形状部の先端側に、それぞれ爪部材を着脱可能なよう設けており、
前記各指先形状部は、前記爪部材が装着される箇所の周囲部分を、当該爪部材の表面側の方向に押し上げる、又は、当該爪部材の表面側とは反対方向に押し下げる、ことが可能なよう、弾性部材にて形成されている、
ハンドマネキン。
【請求項２】
請求項１に記載のハンドマネキンであって、
前記爪部材は、裏面側に凸部が設けられており、
前記指先形状部は、前記爪部材が装着される箇所に、当該爪部材に設けられた前記凸部が挿入されて嵌合する挿入孔が形成されている、
ハンドマネキン。
【請求項３】
請求項２に記載のハンドマネキンであって、
前記指先形状部は、内部に前記指部の先端部分が挿入されるよう構成され、
前記指先形状部の前記挿入孔は、内部に貫通するよう形成されており、
前記指部の先端部分に、前記爪部材に設けられた前記凸部が、前記指先形状部に形成された前記挿入孔を貫通した状態で挿入されて嵌合する嵌合孔が形成されている、
ハンドマネキン。
【請求項４】
請求項２に記載のハンドマネキンであって、
前記指部は、第一関節から第三関節までを有して構成されており、
前記指先形状部は、内部に前記指部の第一関節及びその先端部分が挿入可能なよう構成されると共に、全体が弾性部材にて形成されることで、前記指部の第一関節の回動に伴い曲折するよう構成されており、
前記指先形状部の前記挿入孔は、内部に貫通するよう形成されており、
前記指部の先端部分に、前記爪部材に設けられた前記凸部が、前記指先形状部に形成された前記挿入孔を貫通した状態で挿入されて嵌合する嵌合孔が形成されている、
ハンドマネキン。
【請求項５】
それぞれ回動する複数の関節部を有する５本の指部を備え、当該各指部の先端側に、それぞれ指先形状に形成された指先形状部が着脱可能なよう設けられることで構成されたハンドマネキンに対して、前記指先形状部の先端側に着脱可能なよう装着されるハンドマネキン用の爪部材であって、
前記各指先形状部は、前記爪部材が装着される箇所の周囲部分を、当該爪部材の表面側の方向に押し上げる、又は、当該爪部材の表面側とは反対方向に押し下げる、ことが可能なよう、弾性部材にて形成されており、前記爪部材が装着される箇所に挿入孔が形成されており、
前記指先形状部の前記挿入孔に挿入されて嵌合する凸部が、前記爪部材の裏面側に設けられている、
ハンドマネキン用の爪部材。
【請求項６】
請求項５に記載のハンドマネキン用の爪部材であって、
前記指先形状部は、内部に前記指部の先端部分が挿入されるよう構成され、
前記指先形状部の前記挿入孔は、内部に貫通するよう形成されており、
前記指部の先端部分に、嵌合孔が形成されており、
前記爪部材に設けられた前記凸部は、前記指先形状部に形成された前記挿入孔を貫通した状態で前記指部に形成された前記嵌合孔にも挿入されて嵌合するよう形成されている、
ハンドマネキン用の爪部材。
【考案の詳細な説明】
【技術分野】
【０００１】
本考案は、ハンドマネキンにかかり、特に、ネイルケアやネイルアート練習用のハンドマネキンに関する。
【背景技術】
【０００２】
ネイルケアやネイルアートを練習する際に、手の形の模型つまりハンドマネキンが用いられる。ここで、ハンドマネキンとしては、例えば、特許文献１に開示のものがある。特許文献１では、成形型を用いてハンドマネキンを制作している。
【先行技術文献】
【特許文献】
【０００３】
【特許文献１】特開２００８−０９３２１２号公報
【考案の概要】
【考案が解決しようとする課題】
【０００４】
ここで、ネイルケアやネイルアートの練習においては、実際の人間の手に近いハンドマネキンで練習することが望ましい。しかしながら、上述した特許文献１に開示のハンドマネキンは、指が固定的であって可動せず、また、実際の人間の爪の向きとは異なり親指の爪が真上を向いている。また、ネイルケアやネイルアートでは、爪と皮膚部分（肉部）との境界部分に対する施術が重要になり、施術者は皮膚部分を可動させることとなるが、特許文献１に開示のハンドマネキンでは、そのようなことが可能な構成となっていない。つまり、特許文献１に開示のハンドマネキンは、実際の人間の手の形状や構造と異なり、適切な練習ができない、という問題が生じる。
【０００５】
このため、本考案の目的は、上述した課題である、ネイルケアやネイルアートの適切な練習ができないこと、を解決することにある。
【課題を解決するための手段】
【０００６】
本考案の一形態であるハンドマネキンは、
５本の指部を備えたハンドマネキンであって、
前記各指部は、それぞれ回動する複数の関節部を有しており、
前記各指部の先端側に、それぞれ指先形状に形成された指先形状部を着脱可能なよう設けており、
前記各指先形状部の先端側に、それぞれ爪部材を着脱可能なよう設けており、
前記各指先形状部は、前記爪部材が装着される箇所の周囲部分を、当該爪部材の表面側の方向に押し上げる、又は、当該爪部材の表面側とは反対方向に押し下げる、ことが可能なよう、弾性部材にて形成されている、
という構成をとる。
【０００７】
また、上記ハンドマネキンでは、
前記爪部材は、裏面側に凸部が設けられており、
前記指先形状部は、前記爪部材が装着される箇所に、当該爪部材に設けられた前記凸部が挿入されて嵌合する挿入孔が形成されている、
という構成をとる。
【０００８】
また、上記ハンドマネキンでは、
前記指先形状部は、内部に前記指部の先端部分が挿入されるよう構成され、
前記指先形状部の前記挿入孔は、内部に貫通するよう形成されており、
前記指部の先端部分に、前記爪部材に設けられた前記凸部が、前記指先形状部に形成された前記挿入孔を貫通した状態で挿入されて嵌合する嵌合孔が形成されている、
という構成をとる。
【０００９】
また、上記ハンドマネキンでは、
前記指部は、第一関節から第三関節までを有して構成されており、
前記指先形状部は、内部に前記指部の第一関節及びその先端部分が挿入可能なよう構成されると共に、全体が弾性部材にて形成されることで、前記指部の第一関節の回動に伴い曲折するよう構成されており、
前記指先形状部の前記挿入孔は、内部に貫通するよう形成されており、
前記指部の先端部分に、前記爪部材に設けられた前記凸部が、前記指先形状部に形成された前記挿入孔を貫通した状態で挿入されて嵌合する嵌合孔が形成されている、
という構成をとる。
【００１０】
また、本考案の他の形態は、
それぞれ回動する複数の関節部を有する５本の指部を備え、当該各指部の先端側に、それぞれ指先形状に形成された指先形状部が着脱可能なよう設けられることで構成されたハンドマネキンに対して、前記指先形状部の先端側に着脱可能なよう装着されるハンドマネキン用の爪部材であって、
前記各指先形状部は、前記爪部材が装着される箇所の周囲部分を、当該爪部材の表面側の方向に押し上げる、又は、当該爪部材の表面側とは反対方向に押し下げる、ことが可能なよう、弾性部材にて形成されており、前記爪部材が装着される箇所に挿入孔が形成されており、
前記指先形状部の前記挿入孔に挿入されて嵌合する凸部が、前記爪部材の裏面側に設けられている、
という構成をとる。
【００１１】
また、上記ハンドマネキン用の爪部材では、
前記指先形状部は、内部に前記指部の先端部分が挿入されるよう構成され、
前記指先形状部の前記挿入孔は、内部に貫通するよう形成されており、
前記指部の先端部分に、嵌合孔が形成されており、
前記爪部材に設けられた前記凸部は、前記指先形状部に形成された前記挿入孔を貫通した状態で前記指部に形成された前記嵌合孔にも挿入されて嵌合するよう形成されている、
という構成をとる。
【考案の効果】
【００１２】
本考案は、上述したように構成されることにより、ネイルケアやネイルアートを練習する際に、ハンドマネキンを容易に希望する指の形にすることができるため、適切な練習を行うことができる。特に、爪部材の周囲を押し上げたり押し下げたりすることができ、より適切な練習を行うことができる。さらには、爪部材を接着剤などを用いずに着脱できるため、爪部材の交換が容易であり、さらに適切な練習を行うことができる。
【図面の簡単な説明】
【００１３】
【図１】ハンドマネキンの構成を示す図である。
【図２】ハンドマネキンの形状を変形させたときの様子を示す図である。
【図３】ハンドマネキンの構成の分解図である。
【図４】ハンドマネキンの構成の分解図である。
【図５】ハンドマネキンの構成の分解図である。
【図６】ハンドマネキンの構成の分解図である。
【考案を実施するための形態】
【００１４】
本考案の実施形態を、図１乃至図６を参照して説明する。図１乃至図２は、ハンドマネキンの構成を示す図である。図３乃至図６は、ハンドマネキンの構成の分解図である。
【００１５】
図１に示すように、本考案におけるハンドマネキンは、人間の手の形状をしている。ハンドマネキンは、複数のパーツが組み付けられて構成されており、図３に示すように、手の甲部分及び５本の指部２０からなる本体部１０と、各指部１０の先端側にそれぞれ装着される指先形状部３０と、当該各指先形状部３０の先端部分にそれぞれ装着される爪部材４０と、を備えて構成されている。
【００１６】
上記本体部１０は、例えば、プラスチックや金属などの材料で形成されているが、いかなる材料で形成されていてもよい。そして、本体部１０は、手の甲の形状の甲部分と、当該甲部分から突出して延びる５本の指部２０と、を備えている。つまり、各指部２０は、親指、人差し指、中指、薬指、小指、にそれぞれ対応する構造となっている。
【００１７】
上記指部２０は、人間の指における各関節に対応する各関節部（第一関節部２０ａ、第二関節部２０ｂ、第三関節部２０ｃ）を有している。具体的に、甲部分に対する指部２０の付け根箇所に第三関節部２０ｃを有しており、その先端側に、第二関節部２０ｂと第一関節部２０ａをそれぞれ有している。これら各関節部２０ａ，２０ｂ，２０ｃは、ヒンジなどの回動する回動部材にて構成されており、連結する部材同士が回動可能なよう連結しているため、指部２０は各関節部２０ａ，２０ｂ，２０ｃで曲折するよう構成されている。
【００１８】
これにより、例えば、図２に示すように、利用者はハンドマネキンの各指部２０を曲折させることができ、任意の形状にすることができる。なお、全ての指部２０が同時に曲がるよう構成されていてもよく、各指部２０がそれぞれ独立して曲折されるよう構成されている。つまり、利用者は、任意の指部２０のみを曲折させることもできる。その結果、ハンドマネキンを希望する指の形に容易に変形させることができるため、適切な練習を行うことができる。
【００１９】
なお、ハンドマネキンは、上述した各関節部２０ａ，２０ｂ，２０ｃを回動させるよう可動させる可動機構を備えていてもよい。例えば、可動機構は、操作することにより第一関節部２０ａよりも先端側を甲部分側へ引っ張るワイヤーと、当該ワイヤーを引っ張る機構と、により構成されてもよく、いかなる構成であってもよい。このとき、可動機構は、全ての指部２０を同時に曲げるよう構成されていてもよく、各指部２０を別々に曲げるよう構成されていてもよい。
【００２０】
そして、図３に示すように、各指部２０の先端側には、それぞれの指先に対応する形状に形成された指先形状部３０が装着される。指先形状部３０は、指部２０の第二関節部２０ｂよりも先端側の外形を形成するものである。指先形状部３０は、図３に示すように、先端側である指先側が閉塞した筒形状に形成されており、この筒形状の内部に、開口端側から指部２０の先端部分が挿入されるよう構成されている。このとき、指先形状部３０の筒形状の内部には、指部２０の第二関節部２０ｂよりも先端側、つまり、指部２０の第一関節２０ａ及びその先端部分が挿入される。
【００２１】
なお、指先形状部３０は、全体が柔軟性を有する樹脂などの弾性部材で形成されている。このため、指先形状部３０は、挿入されている指部２０の第一関節部２０ａの回動に伴い、第一関節の箇所で曲折するよう構成されている。
【００２２】
また、指先形状部３０は、必要に応じて、指部２０に対して着脱可能である。図４に示すように、指先形状部３０の開口端には、内部側に突出する突起３３が設けられている。この突起３３が、指部２０の第二関節部２０ｂ付近あるいは第二関節部２０ｂよりも先端側に設けられた溝（図示せず）に嵌合することで、指先形状部３０が指部２０に装着される。なお、指先形状部３０は弾性部材で形成されているため、指先形状部３０を強く先端側に引っ張ることで、突起３３が溝から外れ、指先形状部３０を指部２０から取り外すことができる。このように、指先形状部３０は、指部２０に対して着脱可能となっており、損傷や劣化などに応じて交換が容易である。
【００２３】
また、図３に示すように、指先形状部３０には、指の第一関節よりも先端部分の対応する箇所に、爪部材４０を装着可能な爪付け部３２が形成されている。爪付け部３２は、爪部材４０の形状に対応した形状の凹部で形成されている。そして、指先形状部３０に形成された爪付け部３２の周囲部分、特に、爪付け部３２の側部の皮膚部分は、他の部位と同等の柔軟性を有する、あるいは、他の部位よりもさらに柔軟性を有する弾性部材にて形成されている。これにより、ネイルケア練習時に皮膚部分を、装着される爪部材４０の表面側の方向（上方）に押し上げたり（スキンアップ）、爪部材４０の表面側とは反対方向（下方）に押し下げる（スキンダウン）、ことを容易に行うことが可能となる。その結果、ハンドマネキンを容易に希望する形にすることができ、爪部材４０と皮膚部分との境界部分に対する練習を容易かつ適切に行うことができる。
【００２４】
次に、上記爪部材４０を装着するための構成について説明する。まず、図４、図５に示すように、爪部材４０には、その裏面側、つまり、指先形状部３０の爪付け部３２に対向する爪部材４０の装着面側に、所定の長さだけ突出する凸部４１が設けられている。また、図３に示すように、指先形状部３０の爪付け部３３には、当該指先形状部３０の内部に貫通する孔である挿入孔３１が形成されている。さらに、図３に示すように、指部２０の第一関節部２０ａよりも先端部分に、当該指部２０を貫通する孔である嵌合孔２１が形成されている。
【００２５】
そして、図６に示すように、指部２０に指先形状部３０が装着されたときに、上述した指先形状部３０に形成された挿入孔３１と、指部２０に形成された嵌合孔２１とは、上下に重なって同じ箇所に位置する。また、指先形状部３０に形成された挿入孔３１と、指部２０に形成された嵌合孔２１とは、その外形がほぼ同一であり、上述した爪部材４０の凸部４１の外形とほぼ同一かそれよりもやや小さく形成されている。
【００２６】
そして、指部２０に指先形状部３０が装着され、指先形状部３０の挿入孔３１と指部２０の嵌合孔２１とが重なった状態で、図６の点線矢印に示すように、爪部材４０の凸部４１を挿入孔３１及び嵌合孔２１に挿入する。すると、爪部材４０の凸部４１は、まず指先形状部３０の挿入孔３１に挿入して貫通し、さらに指部２０の嵌合孔２１に挿入して嵌合する。これにより、爪部材４０は、指先形状部３０の先端に形成された爪付け部３２に装着されることとなる。一方で、爪部材４０を指先形状部３０から引き離すようにすることで、凸部４１が嵌合孔２１及び挿入孔３１から抜け、爪部材４０を取り外すことができる。なお、この場合、凸部４１は、少なくとも重なった状態の挿入孔３１及び嵌合２１に挿入可能な長さに形成されている。
【００２７】
上記構成により、凸部４１を挿入孔３１等に挿抜することで爪部材４０を着脱できる。このため、爪部材４０を接着剤などを用いずに着脱でき、爪部材４０の交換が容易であり、適切な練習を行うことができる。
【００２８】
ここで、指部２０の嵌合孔２１は、貫通していなくてもよく、また、形成されていなくてもよい。また、指先形状部３０の挿入孔３１は、内部に貫通していなくてもよく、爪部材４０の凸部４１が挿入される孔であれば塞がっていてもよい。その場合、爪部材４０の凸部４１は、少なくとも指先形状部３０の挿入孔３１に挿入されて嵌合し、爪部材４０が指先形状部３０に装着されればよい。
【００２９】
なお、図面では、人差し指に対応する各構成のみに符号を付しているが、他の指の各構成に符号を付すことを省略しただけである。つまり、全ての指は、上述した構成を有している。
【００３０】
以上、上記実施形態等を参照して本願発明を説明したが、本願発明は、上述した実施形態に限定されるものではない。本願発明の構成や詳細には、本願発明の範囲内で当業者が理解しうる様々な変更をすることができる。
【符号の説明】
【００３１】
１０  本体部
２０  指部
２０ａ  第一関節部
２０ｂ  第二関節部
２０ｃ  第三関節部
２１  嵌合孔
３０  指先形状部
３１  挿入孔
３２  爪付け部
４０  爪部材
４１  凸部
【図１】
0003202285.tif 000003
【図２】
0003202285.tif 000004
【図３】
0003202285.tif 000005
【図４】
0003202285.tif 000006
【図５】
0003202285.tif 000007
【図６】
0003202285.tif 000008